(57)【要約】【課題】従来のハニカム構造を有するフィルターの効力と、該フィルターに塗布された木炭粉末を含有した塗料の効力（木炭の効力）とを生かしつつ、これら効力を長時間に渡って維持できるようにすること。【解決手段】断面がハニカム構造であり貫通する複数の通気路が形成され、該通気路の内壁面に木炭粉末を含有した塗料が塗布されたハニカム状フィルターを備えた空気清浄装置であって、前記ハニカム状フィルターには、発電機または接地電極のいずれか一方または両方が接続させることによって、木炭の効力を長時間に渡って維持できるようになる。【選択図】図１
2008178509.tif 000002
【特許請求の範囲】
【請求項１】
木炭粉末を含有した塗料が塗布された通気路の内壁面を有するフィルターを通して室内に空気を通気させて該室内の空気を清浄化する室内環境改善方法であって、
前記フィルターには、発電機または接地電極のいずれか一方または両方が接続されていること
を特徴とする室内環境改善方法。
【請求項２】
断面がハニカム構造であり貫通する複数の通気路が形成され、該通気路の内壁面に木炭粉末を含有した塗料が塗布されたハニカム状フィルターを通して室内に空気を通気させて該室内の空気を清浄化する室内環境改善方法であって、
前記ハニカム状フィルターには、発電機または接地電極のいずれか一方または両方が接続されていること
を特徴とする室内環境改善方法。
【請求項３】
通気路の内壁面に木炭粉末を含有した塗料が塗布されたフィルターを備えた空気清浄装置であって、
前記フィルターには、発電機または接地電極のいずれか一方または両方が接続されていること
を特徴とする空気清浄装置。
【請求項４】
断面がハニカム構造であり貫通する複数の通気路が形成され、該通気路の内壁面に木炭粉末を含有した塗料が塗布されたハニカム状フィルターを備えた空気清浄装置であって、
前記ハニカム状フィルターには、発電機または接地電極のいずれか一方または両方が接続されていること
を特徴とする空気清浄装置。
【請求項５】
空気清浄装置には、
前記フィルターまたはハニカム状フィルターの前段部に、木炭粉末を含有した塗料が塗布された繊維素材からなるプレフィルターを配設させたこと
を特徴とする請求項３または４に記載の空気清浄装置。
【請求項６】
前記木炭粉末を含有した塗料は、
ナイロン６と、ナイロン６６と、ナイロン１２と、ナイロン６１０とからなる高融点型ナイロン樹脂、ナイロン６と、ナイロン６６と、ナイロン１２とからなる低融点型ナイロン樹脂またはナイロン６と、ナイロン６６と、ナイロン１２とからなる高融点型ナイロン樹脂と、これらのナイロン樹脂の溶剤と、木炭粉末とを含有した塗料組成物であること
を特徴とする請求項３乃至５のいずれかに記載の空気清浄装置。
【発明の詳細な説明】
【技術分野】
【０００１】
本発明は、フィルターを介して室外の空気を室内に通気させることによって、室内の空気環境を改善させる室内環境改善方法と、該室内環境改善方法に用いることができ、装置内に空気を通気させることによって該空気を清浄化する空気清浄装置とに関するものである。
【背景技術】
【０００２】
従来、この種の技術としては、例えば、一端面から他端面に貫通する多数の通気路を有するハニカム構造又は段ボール構造の板状部材の表面及び前記通気路内面に、木炭粉末とヨウ素化合物とを皮膜状に形成したフィルタ基材を複数枚積層させると共に、該積層させた複数枚のフィルタ基材の通気路同士がズレていることを特徴とする空気清浄フィルタがある（特許文献１参照）。
【０００３】
この特許文献１の公知技術においては、ハニカム構造を有するフィルタ基材の通気路内面に、木炭粉末とヨウ素化合物とを皮膜状に形成させた空気清浄フィルタを用いる空気清浄機であり、除塵、化学物質の除去、及び除菌を性能良く行うことができるというものである。
【０００４】
【特許文献１】特開２００５−２９６７８２号公報
【発明の開示】
【発明が解決しようとする課題】
【０００５】
しかしながら、前記特許文献１の公知技術においては、フィルタ基材の皮膜に使用される木炭粉末の効力が長時間の使用によって低下するため、徐々にその得られる効力が減少してしまうという問題点を有する。
【０００６】
従って、フィルターに塗布された木炭粉末を含有した塗料の効力（木炭の効力）を生かしつつ、該効力を長時間に渡って維持できるようにするということに解決しなければならない課題を有している。
【課題を解決するための手段】
【０００７】
上記した従来例の課題を解決する具体的手段として本発明に係る第１の発明として、木炭粉末を含有した塗料が塗布された通気路の内壁面を有するフィルターを通して室内に空気を通気させて該室内の空気を清浄化する室内環境改善方法であって、前記フィルターには、発電機または接地電極のいずれか一方または両方が接続されていることを特徴とする室内環境改善方法を提供するものである。
【０００８】
第２の発明として、断面がハニカム構造であり貫通する複数の通気路が形成され、該通気路の内壁面に木炭粉末を含有した塗料が塗布されたハニカム状フィルターを通して室内に空気を通気させて該室内の空気を清浄化する室内環境改善方法であって、前記ハニカム状フィルターには、発電機または接地電極のいずれか一方または両方が接続されていることを特徴とする室内環境改善方法を提供するものである。
【０００９】
第３の発明として、通気路の内壁面に木炭粉末を含有した塗料が塗布されたフィルターを備えた空気清浄装置であって、前記フィルターには、発電機または接地電極のいずれか一方または両方が接続されていることを特徴とする空気清浄装置を提供するものである。
【００１０】
第４の発明として、断面がハニカム構造であり貫通する複数の通気路が形成され、該通気路の内壁面に木炭粉末を含有した塗料が塗布されたハニカム状フィルターを備えた空気清浄装置であって、前記ハニカム状フィルターには、発電機または接地電極のいずれか一方または両方が接続されていることを特徴とする空気清浄装置を提供するものである。
【００１１】
これら第３及び第４の発明において、空気清浄装置には、前記ハニカム状フィルターの前段部に、木炭粉末を含有した塗料が塗布された繊維素材からなるプレフィルターを配設させたこと；前記木炭粉末を含有した塗料は、ナイロン６と、ナイロン６６と、ナイロン１２と、ナイロン６１０とからなる高融点型ナイロン樹脂、ナイロン６と、ナイロン６６と、ナイロン１２とからなる低融点型ナイロン樹脂またはナイロン６と、ナイロン６６と、ナイロン１２とからなる高融点型ナイロン樹脂と、これらのナイロン樹脂の溶剤と、木炭粉末とを含有した塗料組成物であること；を付加的な要件として含むものである。
【発明の効果】
【００１２】
本発明においては、通気路の内壁面に木炭粉末を含有した塗料が塗布されたフィルターを用い、該フィルターに発電機または接地電極のいずれか一方または両方を接続させることにより、ホルムアルデヒド等の化学物質、ほこり、排気粒子及び雑菌等の低減、室内のイオンバランスの改善等の効力を生かしつつ、更に前記木炭粉末の電気的なバランスを調整することで、これら効力を長時間に渡って維持できるようになり、更に、第２及び第４の発明においては、前記フィルターとして、断面がハニカム構造であるハニカム状フィルターを用いることで、フィルター中に通気される空気圧力の損失も低減されるようになるという優れた効果を奏する。
【発明を実施するための最良の形態】
【００１３】
本発明の実施の形態に係る空気清浄装置においては、断面がハニカム構造であり貫通する複数の通気路が形成され、該通気路の内壁面に木炭粉末を含有した塗料が塗布されたハニカム状フィルターを用い、前記前記木炭粉末を含有した塗料として、ナイロン６と、ナイロン６６と、ナイロン１２と、ナイロン６１０とからなる高融点型ナイロン樹脂、ナイロン６と、ナイロン６６と、ナイロン１２とからなる低融点型ナイロン樹脂またはナイロン６と、ナイロン６６と、ナイロン１２とからなる高融点型ナイロン樹脂と、これらのナイロン樹脂の溶剤と、木炭粉末とを含有した塗料組成物を使用し、前記ハニカム状フィルターに発電機または接地電極のいずれか一方または両方を接続した空気清浄装置を使用する。前記ハニカム状フィルターの前段部には、木炭粉末を含有した塗料が塗布された繊維素材からなるプレフィルターを配設させる。この空気清浄装置を介して室内に空気を通気させることによって、室内の空気を清浄化するものである。
【実施例１】
【００１４】
次に、本発明を具体的な実施例に基づいて詳しく説明する。この実施例１の空気清浄装置を図１乃至図３を用いて説明する。図１に、空気清浄装置の全体的な構成を略示的に示した斜視図を示してある。空気清浄装置１は、空気清浄装置の本体部２と、該本体部２に接続される発電機３と、接地電極４とから構成されている。なお、これら発電機３と、接地電極４とは、必ずしも両方とも接続されていなければならないというものではなく、発電機３または接地電極４のうち少なくともいずれか一方が前記本体部２に接続されていれば良い。
【００１５】
図２に、空気清浄装置の本体部２の内部を通気方向に沿って略示的に示した断面図を示し、図３に、空気清浄装置の本体部２の内部を通気方向と直交する方向の略示的な断面図を示してある。空気清浄装置の本体部２の内部には、ハニカム状フィルター５が配設されている。
【００１６】
また、空気清浄装置の本体部２には、外気吸入口６と、室内給気口７とが設けられており、外気吸入口６から吸入された室外の空気は、本体部２内を通過し、室内給気口７から図示していない室内に給気される。つまり、室外の空気は、本体部２内に配設されたハニカム状フィルター５を通って室内給気口７から室内に通気されるのである。
【００１７】
ハニカム状フィルター５は、図３に示したように、断面がハニカム構造に形成されており、外気吸入口６側から室内給気口７側に向かって貫通する複数の通気路８が形成されている。
【００１８】
このハニカム構造（Ｈｏｎｅｙｃｏｍｂ）とは、複数の六角形を整理した状態で順に並べた状態で形成される構造のことであり、いわゆる蜂の巣状の構造を示すものである。なお、本発明においては、通気方向と直交する方向の断面のみがハニカム構造に形成されるものであり、通気方向については空気が殆ど抵抗無く通気されるように貫通されているものである。
【００１９】
このように、ハニカム構造を有するハニカム状フィルター５を用いることによって、該ハニカム状フィルター５中に通気される空気圧力の損失が低減され、また、該空気と通気路８の内壁面との接触面積を稍大きくして、フィルターの効率を向上させることができるのである。
【００２０】
通気路８の内壁面には、木炭粉末を含有した塗料が塗布されている。この木炭粉末を含有した塗料としては、木炭粉末を含有した塗料であればいずれのものを使用しても良いが、特に、特許第３１３３９６２号公報に開示された技術であるナイロン（登録商標）６と、ナイロン（登録商標）６６と、ナイロン（登録商標）１２と、ナイロン（登録商標）６１０とからなる高融点型ナイロン（登録商標）樹脂、ナイロン（登録商標）６と、ナイロン（登録商標）６６と、ナイロン（登録商標）１２とからなる低融点型ナイロン（登録商標）樹脂またはナイロン（登録商標）６と、ナイロン（登録商標）６６と、ナイロン（登録商標）１２とからなる高融点型ナイロン（登録商標）樹脂と、これらのナイロン（登録商標）樹脂の溶剤と、木炭粉末とを含有した塗料組成物である、ヘルスコート（登録商標：アーテック工房（株）社製）等を使用することが好ましい。
【００２１】
このように、通気路８の内壁面に木炭粉末を含有した塗料を塗布することによって、通気路８に空気が通気される際、木炭が多孔質であるため、その多数の孔に空気中に含まれるホルムアルデヒド等の揮発性有機化合物、塵、ほこり、排気粒子及び雑菌等が吸着され、更に、木炭が正イオンを吸着して、前記空気中に含まれる負イオンの割合を増やすことができるようになる。そのため、木炭粉末を含有した塗料が塗布されたハニカム状フィルター５を通して室内に空気を通気させることで、ホルムアルデヒド等の化学物質、ほこり、排気粒子及び雑菌等の低減を行って、前記室内の空気を清浄化することができると共に、室内のイオンバランスを改善できるようになるのである。
【００２２】
また、空気清浄装置の本体部２及びハニカム状フィルター５は、例えば、鉄等の金属材、木材または合成樹脂材等を用いて形成すれば良く、仮にこれら空気清浄装置の本体部２及びハニカム状フィルター５を合成樹脂材等で形成したとしても、通気路８の内壁面に塗布された木炭粉末を含有した塗料（木炭）が電導性を有しているため、ハニカム状フィルター５の内壁面は通電性を有するようになる。
【００２３】
本発明においては、この電導性を有しているハニカム状フィルター５（通気路８の内壁面）に発電機３または接地電極４のうちのいずれか一方または両方を接続させるものである。なお、空気清浄装置の本体部２を金属材等の導電性を有する部材で形成させ、該本体部２とハニカム状フィルター５とが電気的に接続されるようにした場合には、前記発電機３または接地電極４を前記本体部２に接続させても良い。
【００２４】
このように、ハニカム状フィルター５に発電機３または接地電極４のうちのいずれか一方または両方を接続させることによって、前記ハニカム状フィルター５の通気路８の内壁面に塗布された木炭粉末を含有した塗料（木炭）の電気的なバランスが調整され、該木炭が有する効力を長時間に渡って維持できるようになるのである。
【００２５】
また、空気清浄装置の本体部２には、ハニカム状フィルター５の前段部、即ち、外気吸入口６内にプレフィルター９を配設させても良い。該プレフィルター９としては、例えば、繊維素材等を使用することができ、該繊維素材に木炭粉末を含有した塗料を塗布して用いることが好ましい。
【実施例２】
【００２６】
この実施例２においては、前記実施例１のハニカム状フィルター５に換えて複数の板部材が交互に配列されたフィルターを用いるものであり、その他の構成については、前記実施例１と同様であるため、前記実施例１と同様のものについては、前記実施例１と同一の符号を付し、その詳細な説明については省略する。
【００２７】
この実施例２において、空気清浄装置の本体部２の内部には、複数の板部材１０ａが、例えば、左右交互に配列されており、これら板部材１０ａによりフィルター１０が、構成されている。これら板部材１０は、外気吸入口６側から室内給気口７側に向かって稍傾斜した角度で取り付けられており、フィルター１０中に通気される空気の流通が妨げられることを軽減している。
【００２８】
このように、本発明においては、通気路の内壁面に木炭粉末を含有した塗料が塗布されたいずれのフィルター１０を備えた空気清浄装置１を用いた場合であっても、該フィルター１０に発電機３及び／または接地電極４を接続させることによって、前記フィルター１０の電気的なバランスが調整され、ホルムアルデヒド等の化学物質、ほこり、排気粒子及び雑菌等の低減、室内のイオンバランスの改善等の効力が長時間に渡って維持されるようになるのである。
【図面の簡単な説明】
【００２９】
【図１】本発明の実施例１に係る空気清浄装置の全体的な構成を説明するための略示的な斜視図である。
【図２】同空気清浄装置の本体部の内部を通気方向に沿って略示的に示した断面図である。
【図３】同空気清浄装置の本体部の内部を通気方向と直交する方向の略示的な断面図である。
【図４】本発明の実施例２に係る空気清浄装置の本体部を略示的に示した斜視図であり、その内部構造を説明するために、その内部の一部を透かして見える状態にしたものである。
【図５】同空気清浄装置の本体部の内部を通気方向に沿って略示的に示した断面図である。
【符号の説明】
【００３０】
１  空気清浄装置
２  空気清浄装置の本体部
３  発電機
４  接地電極
５  ハニカム状フィルター
６  外気吸入口
７  室内給気口
８  通気路
９  プレフィルター
１０  フィルター
１０ａ  板部材
【図１】
2008178509.tif 000003
【図２】
2008178509.tif 000004
【図３】
2008178509.tif 000005
【図４】
2008178509.tif 000006
【図５】
2008178509.tif 000007